(57)【要約】【課題】印加電圧が低下しているなどの事情が生じていても、電磁弁の弁開動作を確実に行なわせることができ、しかもその弁開動作時に大きな音が発生することも的確に防止することが可能な電磁弁駆動装置を提供する。【解決手段】電磁弁のソレノイドＳ０〜Ｓ５への直流電圧印加をオン・オフ制御するためのスイッチング手段ＳＷ０〜ＳＷ５と、スイッチング手段ＳＷ０〜ＳＷ５の動作用のＰＷＭ信号を出力可能な信号出力手段５と、を備えている、電磁弁駆動装置ＳＤであって、電磁弁の弁開動作用期間として、第１期間とこれに続く第２期間が設定され、信号出力手段５は、スイッチング手段ＳＷ０〜ＳＷ５にＰＷＭ信号を出力するときには、第１期間よりも第２期間の方がデューティ比が高い信号を出力し、ソレノイドＳ０〜Ｓ５への供給電力が第１期間よりも第２期間の方が大きくなる構成とされている。【選択図】  図２
2011153686.tif 000002
【特許請求の範囲】
【請求項１】
電磁弁のソレノイドに直流電圧を印加して前記電磁弁を閉状態から開状態とする弁開動作を行なわせるための電磁弁の駆動方法であって、
前記電磁弁の弁開動作用期間として、第１期間およびこれに続く第２期間を設け、
前記第１期間においては前記ソレノイドに断続的な電圧印加を行ない、かつ前記第２期間においては前記第１期間よりもデューティ比が高い電圧印加を行ない、前記ソレノイドへの供給電力を前記第１期間よりも前記第２期間の方が大きくなるようにすることを特徴とする、電磁弁の駆動方法。
【請求項２】
電磁弁のソレノイドに対する直流電圧印加をオン・オフ制御するためのスイッチング手段と、
このスイッチング手段を動作させるための制御信号としてＰＷＭ信号を出力可能な信号出力手段と、
を備えている、電磁弁駆動装置であって、
前記電磁弁を閉状態から開状態とするための弁開動作用期間として、第１期間およびこの第１期間に続く第２期間が設定されており、
前記信号出力手段は、前記スイッチング手段にＰＷＭ信号を出力するときには、前記第１期間よりも前記第２期間の方がデューティ比が高い信号を出力し、前記ソレノイドへの供給電力が前記第１期間よりも前記第２期間の方が大きくなるように構成されていることを特徴とする、電磁弁駆動装置。
【請求項３】
前記信号出力手段は、前記電磁弁の弁開動作用期間を経過した後には、開弁状態保持を行なうためのＰＷＭ信号を出力可能であり、
前記第１期間のＰＷＭ信号は、前記開弁状態保持を行なうためのＰＷＭ信号と略同一またはそれよりも高いデューティ比の信号である、請求項２に記載の電磁弁駆動装置。
【請求項４】
前記第２期間のＰＷＭ信号は、デューティ比が１００％である、請求項２または３に記載の電磁弁駆動装置。
【請求項５】
バーナと、
このバーナに対する燃料供給のオン・オフを切り替えるための電磁弁と、
この電磁弁を開閉させるための電磁弁駆動装置と、
を備えている、燃焼装置であって、
前記電磁弁駆動装置として、請求項２ないし４のいずれかに記載の電磁弁駆動装置が用いられていることを特徴とする、燃焼装置。
【発明の詳細な説明】
【技術分野】
【０００１】
本発明は、流体制御などに用いられる電磁弁を好適に駆動するための方法、電磁弁駆動装置、およびこの電磁弁駆動装置を備えた燃焼装置に関する。
【背景技術】
【０００２】
電磁弁は、たとえば燃焼装置における燃料供給のオン・オフ切り替えに用いられる。このような電磁弁を駆動する装置の一例として、特許文献１に記載のものがある。同文献に記載された装置は、電磁弁をＰＷＭ（Pulse Width Modulation：パルス幅変調）方式で駆動するものであり、前記電磁弁のソレノイドに対する直流電圧印加をオン・オフするためのスイッチング素子を具備し、このスイッチング素子を動作させるための制御信号としてＰＷＭ信号が用いられている。前記電磁弁に弁開動作を行なわせるときには、スイッチング素子にデューティ比１００％の信号が入力される。また、前記電磁弁が開状態となった後には、その状態を保持させるための手段として、スイッチング素子には弁開動作時よりもデューティ比が低くされたＰＷＭ信号が入力される。このような構成によれば、前記電磁弁の弁開動作時には、前記ソレノイドへの供給電力を大きくし、弁開動作の確実化を図ることができる。一方、その後に開弁状態を保持するときには、前記ソレノイドへの供給電力量を抑制し、省エネを図ることができる。
【０００３】
しかしながら、前記従来技術においては、次に述べるように、未だ改善すべき余地があった。
【０００４】
すなわち、前記電磁弁の弁開動作時には、そのソレノイドに対してデューティ比１００％の電圧印加を行なうに過ぎないために、前記ソレノイドには大きな電力を供給することができるものの、弁開時に比較的大きな音が発生する虞があった。この音は、電磁弁の弁体およびこれを支持するプランジャがソレノイドの大きな電磁力に起因して勢いよく移動する結果、たとえば前記プランジャの一部が電磁弁のケーシングに衝突するなどして発生する。このような音は、できる限り発生しないようにすることが望まれる。
【０００５】
なお、前記したような弁開動作時の音の発生を防止するための手段としては、このような音が発生しない程度にまでソレノイドへの供給電力を小さくすることが考えられる。ところが、単に、このような手段を用いただけでは、次のように、弁開動作を適切に行なわせることが困難となる場合がある。すなわち、たとえば電磁弁に接続されている直流電源の電圧がなんらかの事情に起因して本来の電圧よりも低下した場合には、弁開動作に必要な電力が電磁弁に供給されないこととなって、弁開動作を適切に行なわせることが困難となる虞がある。また、燃焼装置の駆動燃焼時間が長期間にわたるなどして電磁弁の温度が上昇し、ソレノイドの電気抵抗が大きくなった場合には、このソレノイドに流れる電流が減少する。したがって、長時間の燃焼運転を行なってから停止させ、短時間の後に燃焼運転を再開させる場合にも、やはり弁開動作が困難となる虞がある。
【先行技術文献】
【特許文献】
【０００６】
【特許文献１】特開昭５８−６５３８４号公報
【発明の概要】
【発明が解決しようとする課題】
【０００７】
本発明は、前記したような事情のもとで考え出されたものであり、印加電圧が本来の適正な値よりも低下しているような事情が生じているような場合などであっても、電磁弁の弁開動作を確実に行なわせることができ、しかもその弁開動作時に大きな音が発生することを的確に防止することが可能な電磁弁の駆動方法、電磁弁駆動装置、およびこれを備えた燃焼装置を提供することを、その課題としている。
【課題を解決するための手段】
【０００８】
上記の課題を解決するため、本発明では、次の技術的手段を講じている。
【０００９】
本発明の第１の側面により提供される電磁弁の駆動方法は、電磁弁のソレノイドに直流電圧を印加して前記電磁弁を閉状態から開状態とする弁開動作を行なわせるための電磁弁の駆動方法であって、前記電磁弁の弁開動作用期間として、第１期間およびこれに続く第２期間を設け、前記第１期間においては前記ソレノイドに断続的な電圧印加を行ない、かつ前記第２期間においては前記第１期間よりもデューティ比が高い電圧印加を行ない、前記ソレノイドへの供給電力を前記第１期間よりも前記第２期間の方が大きくなるようにすることを特徴としている。
【００１０】
このような構成によれば、次のような効果が得られる。
すなわち、電磁弁の弁開動作用期間のうち、第１期間においてはソレノイドへの供給電力を比較的小さくし、電磁弁に大きな音を生じないようにして弁開動作を行なわせることが可能となる。ただし、印加電圧が本来の適正な電圧よりも低下している場合や、電磁弁のソレノイドが高温になってその電気抵抗が大きくなっているような場合には、第１期間において弁開動作を適切に行なわせることが困難となる場合が生じる。これに対し、第２期間においてはソレノイドへの供給電力を第１期間よりも大きくするために、印加電圧が低下するなどの現象を生じている場合であっても、電磁弁の弁開動作を確実に行なわせることが可能となる。第２期間に弁開動作が行なわれるということは、印加電圧が低下するなどの現象を生じている筈であるために、ソレノイドに過大な電力供給が行なわれることはなく、弁開動作時に大きな音が生じることは適切に防止される。このように、本発明によれば、印加電圧が低下しているといった事情が生じているような場合であっても電磁弁の弁開動作を確実に行なわせ、かつその弁開動作時に大きな音が発生しないようにすることができる。
【００１１】
本発明の第２の側面により提供される電磁弁駆動装置は、電磁弁のソレノイドに対する直流電圧印加をオン・オフ制御するためのスイッチング手段と、このスイッチング手段を動作させるための制御信号としてＰＷＭ信号を出力可能な信号出力手段と、を備えている、電磁弁駆動装置であって、前記電磁弁を閉状態から開状態とするための弁開動作用期間として、第１期間およびこの第１期間に続く第２期間が設定されており、前記信号出力手段は、前記スイッチング手段にＰＷＭ信号を出力するときには、前記第１期間よりも前記第２期間の方がデューティ比が高い信号を出力し、前記ソレノイドへの供給電力が前記第１期間よりも前記第２期間の方が大きくなるように構成されていることを特徴としている。
【００１２】
このような構成によれば、本発明の第１の側面により提供される電磁弁の駆動方法を適切に実施することが可能であり、本発明の電磁弁の駆動方法について述べたのと同様な効果を得ることができる。
【００１３】
本発明の好ましい実施の形態においては、前記信号出力手段は、前記電磁弁の弁開動作用期間を経過した後には、開弁状態保持を行なうためのＰＷＭ信号を出力可能であり、前記第１期間のＰＷＭ信号は、前記開弁状態保持を行なうためのＰＷＭ信号と略同一またはそれよりも高いデューティ比の信号である。
【００１４】
このような構成によれば、電磁弁の弁開動作用期間の第１期間においては、電磁弁の開弁状態保持を行なうための電力と略同等またはそれよりも大きな電力を電磁弁に供給することができる。したがって、第１期間中においてソレノイドに供給される電力が余りにも過小となるようなことが回避されることとなり、印加電圧が低下するといった異常を生じていない正常な条件下において、電磁弁の弁開動作が第１期間中に適切に行なわれる可能性を高めることができる。
【００１５】
本発明の好ましい実施の形態においては、前記第２期間のＰＷＭ信号は、デューティ比が１００％である。
【００１６】
このような構成によれば、前記第２期間におけるソレノイドへの供給電力が最大となり、第２期間における電磁弁の弁開動作をより確実化することができる。
【００１７】
本発明の第３の側面により提供される燃焼装置は、バーナと、このバーナに対する燃料供給のオン・オフを切り替えるための電磁弁と、この電磁弁を開閉させるための電磁弁駆動装置と、を備えている、燃焼装置であって、前記電磁弁駆動装置として、本発明の第２の側面により提供される電磁弁駆動装置が用いられていることを特徴としている。
【００１８】
このような構成によれば、本発明の第２の側面により提供される電磁弁駆動装置と同様な効果（本発明の第１の側面によって提供される電磁弁の駆動方法について述べたのと同様な効果）が得られる。
【００１９】
本発明のその他の特徴および利点は、添付図面を参照して以下に行なう発明の実施の形態の説明から、より明らかになるであろう。
【図面の簡単な説明】
【００２０】
【図１】本発明に係る燃焼装置の概略の構成の一例を示す説明図である。
【図２】図１に示す燃焼装置が具備する電磁弁駆動装置を示す説明図である。
【図３】図２に示す電磁弁駆動装置の制御部から出力されるＰＷＭ信号の一例を示す説明図である。
【図４】図３に示すＰＷＭ信号に基づいて電磁弁のソレノイドに流れる電流の波形を示す説明図である。
【発明を実施するための形態】
【００２１】
以下、本発明の好ましい実施の形態について、図面を参照して具体的に説明する。
【００２２】
図１および図２は、本発明が適用された電磁弁駆動装置を備えた燃焼装置の一例を示している。図１に示すように、本実施形態の燃焼装置Ｃは、ガス燃焼装置であり、複数のガスバーナ１（１ａ〜１ｅ）、燃料ガス供給路２、複数の電磁弁Ｖ０〜Ｖ５、電動弁Ｖ２０、および制御部５を用いて構成された電磁弁駆動装置ＳＤを具備している。
【００２３】
燃焼装置Ｃは、たとえば一般給湯や風呂給湯などを行なうための温水装置（図示略）の構成要素として用いられ、温水装置の湯水加熱用の熱交換器（図示略）に燃焼ガスを供給するのに利用されるものである。ただし、本発明に係る燃焼装置は、このような用途に用いられるものに限定されないことは言う迄もない。ガスバーナ１ａ〜１ｃは、たとえば前記温水装置において一般給湯を行なう際に駆動燃焼させるためのものであるのに対し、ガスバーナ１ｄ，１ｅは、風呂給湯を行なう際に駆動燃焼させるためのものである。複数のガスバーナ１の上方には、点火プラグ３０ａ，３０ｂ、および炎検出用のフレームロッド３１ａ，３１ｂが設けられている。
【００２４】
燃料ガス供給路２は、外部に敷設されたガス管（図示略）から燃料ガス供給を受ける元管２０と、この元管２０から分岐して複数のガスバーナ１のそれぞれに一端が接続された複数の分岐管２１とを有している。複数の電磁弁Ｖ０〜Ｖ５は、開閉弁であり、元管２０および複数の分岐管２１に取り付けられている。電動弁Ｖ２０は、燃料ガス流量を無段階に制御可能な比例弁であり、元管２０に取り付けられている。この電動弁Ｖ２０は、電磁弁Ｖ０〜Ｖ５と同様に制御部５により制御されるが、本発明は電動弁の制御を対象とするものではないため、その説明は省略する。電磁弁Ｖ０〜Ｖ５は、ともに停電時弁閉タイプであって、これらの構造自体は従来既知の電磁弁と同様である。したがって、その詳細な説明は省略する。電磁弁Ｖ０〜Ｖ５は、図２で示すソレノイドＳ０〜Ｓ５を具備しており、これらのソレノイドＳ０〜Ｓ５に通電がなされることによって個々に弁開動作を行なわせることが可能である。
【００２５】
図２に示すように、電磁弁駆動装置ＳＤは、前記した制御部５に加え、複数のソレノイドＳ０〜Ｓ５に対する電力供給源となる直流電源回路４（または直流電源）、たとえばＦＥＴを用いて構成された複数のスイッチング素子ＳＷ０〜ＳＷ５、および安全回路部６を有している。複数のソレノイドＳ０〜Ｓ５とスイッチング素子ＳＷ０〜ＳＷ５とは、互いに直列接続されているが、これらは直流電源回路４の接続配線Ｌ１とグランド配線Ｌ２との間に並列接続されている。複数のスイッチング素子ＳＷ０〜ＳＷ５のオン・オフ動作により、複数のソレノイドＳ０〜Ｓ５への電圧印加（通電）が制御される。
【００２６】
制御部５は、マイクロコンピュータを用いて構成されており、スイッチング素子ＳＷ０〜ＳＷ５を動作させるための制御信号としてＰＷＭ信号を出力可能である。したがって、この制御部５は、本発明でいう信号出力手段の一例に相当する。ただし、スイッチング素子ＳＷ０〜ＳＷ５に対するＰＷＭ信号の入力は、制御部５と安全回路部６とから信号入力を受けるアンド回路ＡＮＤ０〜ＡＮＤ５を介して行なわれる構成とされている。より具体的には、安全回路部６は、燃焼装置Ｃについての所定の異常を検出可能であり、燃焼装置Ｃに所定の異常がないときには、アンド回路ＡＮＤ０〜ＡＮＤ５の入力端子に常時「Ｈ」の信号を出力する。このため、制御部５からアンド回路ＡＮＤ０〜ＡＮＤ５の他の入力端子に対してＰＷＭ信号が入力されると、このＰＷＭ信号と同一波形のＰＷＭ信号がアンド回路ＡＮＤ０〜ＡＮＤ５からスイッチング素子ＳＷ０〜ＳＷ５に入力される。このことにより、スイッチング素子ＳＷ０〜ＳＷ５はＰＷＭ信号に対応してオン・オフし、複数のソレノイドＳ０〜Ｓ５に対する直流電圧印加が断続的になされる。制御部５から出力されるＰＷＭ信号の具体例については、後述する。
【００２７】
安全回路部６は、燃焼装置Ｃに所定の異常が生じた場合には、アンド回路ＡＮＤ０〜ＡＮＤ５への入力信号を「Ｌ」とする。したがって、この場合には、スイッチング素子ＳＷ０〜ＳＷ５はいずれもオフ状態となって、ソレノイドＳ０〜Ｓ５への通電は停止される。すると、電磁弁Ｖ０〜Ｖ５は閉状態となり、ガスバーナ１への燃料ガス供給は遮断される。燃焼装置Ｃにおける安全対策手段としては、前記以外の手段として、直流電源回路４とソレノイドＳ０〜Ｓ５との間にスイッチング素子７０を設け、かつ異常発生時には、安全回路部６および制御部５からナンド回路７１への信号出力の切り替えによってスイッチング素子７０をオフ状態とする手段も設けられている。また、ソレノイドＳ０〜Ｓ５とスイッチング素子ＳＷ０〜ＳＷ５との間の電圧信号は、バッファ回路７２を備えた複数の監視用配線部Ｌ３を介して制御部５に入力するように構成されている。制御部５は、この制御部５自身が出力するＰＷＭ信号に対し、監視用配線部Ｌ３を介して入力される信号が適切に対応していない場合には、異常が発生したものと判断するように構成されている。
【００２８】
次に、前記した燃焼装置Ｃにおける電磁弁の駆動方法の一例、ならびに作用について説明する。
【００２９】
まず、制御部５が弁開指令を受けた場合、電磁弁Ｖ０〜Ｖ５を閉状態から開状態にするための弁開動作用期間として、図３に示すように、第１期間Ｐ１およびこれに続く第２期間Ｐ２が設けられる。第１期間Ｐ１および第２期間Ｐ２は、たとえばともに２００ｍｓであるが、これに限定されない。電磁弁Ｖ０〜Ｖ５のうち、電磁弁Ｖ０のみを開弁させる場合を代表例として説明すると、制御部５は、第１期間Ｐ１においては、たとえばデューティ比５０％〜６０％の範囲のＰＷＭ信号を出力する。図３では概略的に示されているが、前記ＰＷＭ信号は、断続的な複数のパルス列波形である。スイッチング素子ＳＷ０においては、前記ＰＷＭ信号に対応したオン・オフ動作がなされ、ソレノイドＳ０には前記デューティ比での断続的な電圧印加がなされる。次いで、制御部５は、第２期間Ｐ２においては、デューティ比１００％の信号を出力する。その結果、第２期間Ｐ２の全期間にわたってソレノイドＳ０には連続した電圧印加がなされる。前記したような電圧印加がなされると、電磁弁Ｖ０のソレノイドＳ０には、図４に示すような状態で電流が流れる。すなわち、第１期間Ｐ１よりも第２期間Ｐ２の方が電流が多くなる。したがって、ソレノイドＳ０への供給電力も、第１期間Ｐ１よりも第２期間Ｐ２の方が大きくなる。
【００３０】
前記した方法によれば、第１期間Ｐ１におけるソレノイドＳ０への供給電力が比較的小さめに抑制されているために、ソレノイドＳ０により発生される電磁力はやや弱めとなる。したがって、電磁弁Ｖ０の弁体およびプランジャをケーシングに勢いよく衝突させないようにして、電磁弁Ｖ０に弁開動作を行なわせことが可能である。好ましくは、第１期間Ｐ１におけるソレノイドＳ０への供給電力は、後述する開弁状態保持期間Ｐ３における供給電力と略同一またはそれよりもやや大きめとされている。このような構成によれば、電磁弁Ｖ０の弁開保持に必要な電力と略同等以上の電力が電磁弁Ｖ０に供給されるために、第１期間Ｐ１において電磁弁Ｖ０が開弁状態となる可能性を高めることができる。
【００３１】
第１期間Ｐ１においては、ソレノイドＳ０への供給電力が抑制されているために、たとえば「背景技術」の欄において既述したのと同様に、ソレノイドＳ０への印加電圧が本来の電圧よりも低下している場合や、ソレノイドＳ０の電気抵抗が温度上昇に起因して高くなっているような現象を生じている場合には、発生する電磁力が弱くなって、弁開動作が適切に実行されない場合があり得る。これに対し、第２期間Ｐ２においては、ソレノイドＳ０への供給電力が大きくなるために、印加電圧の低下などの現象が生じている場合であっても、比較的強い電磁力を発生させることが可能であり、電磁弁Ｖ０に弁開動作を的確に行なわせることかできる。第２期間Ｐ２に弁開動作が行なわれるということは、印加電圧が低下するなどの現象を生じている筈であるために、第２期間Ｐ２においては、電磁弁Ｖ０に過大な電力供給はなされず、電磁弁Ｖ０のプランジャがケーシングに勢いよく衝突しないように弁開動作を行なわせることができる。したがって、弁開動作時に大きな音が生じることも適切に抑制される。
【００３２】
図３に示すように、第２期間Ｐ２が経過した後には、開弁状態保持期間Ｐ３となる。この期間Ｐ３では、制御部５は、デューティ比がたとえば５０〜６０％のＰＷＭ信号を出力する。このことにより、電力消費量を抑制しつつ、電磁弁Ｖ０の開弁状態が維持される。ただし、前記した開弁状態保持期間Ｐ３においては、制御部５から出力されるＰＷＭ信号のデューティ比を一時的に高くする再弁開用期間Ｐ３’を設けることも可能である。この期間Ｐ３’におけるＰＷＭ信号は、第２期間Ｐ２と同様に、たとえばデューティ比１００％であり、またこの期間Ｐ３’の長さは、たとえば２００ｍｓである。ただし、これら以外の値とすることができる。再弁開用期間Ｐ３’は、たとえば所定の周期Ｔ（たとえば２．４ｓの周期）で繰り返される。
【００３３】
開弁状態保持期間Ｐ３において、直流電源回路４の一時的な電圧降下、あるいは燃料ガス供給路２内の圧力変動などに起因する電磁弁Ｖ０への衝撃などを生じた場合には、このような現象に起因して電磁弁Ｖ０が閉状態となってしまう場合がある。これに対し、前記した再弁開用期間Ｐ３’が周期的に到来すれば、この期間Ｐ３’においてソレノイドＳ０に大きな電力供給を行ない、閉状態となっていた電磁弁Ｖ０を開状態に復帰させることができる。再弁開用期間Ｐ３’は、前記したように所定の周期Ｔで繰り返し設定されることに代えて、または加えて、電磁弁Ｖ０が閉状態となる所定の要因（たとえば、前記した直流電源回路４の一時的な電圧低下や、電磁弁Ｖ０への衝撃など)が所定の検出手段によって検出されたときに設定されるように構成することも可能である。さらに、このような構成とは異なり、所定の要因を検出するための検出手段を用いることなく、制御部５が所定の機器（電磁弁が閉状態となる負荷を生じさせる可能性のある機器など）を駆動させるための出力を行なったときに、再弁開用期間Ｐ３’を設定してもよい。
【００３４】
以上においては、電磁弁Ｖ０を代表例として説明しているが、これ以外の他の電磁弁Ｖ１〜Ｖ５についても、前記したのと同様な態様で適切に駆動することが可能である。
【００３５】
本発明は、上述した実施形態の内容に限定されない。本発明に係る電磁弁の駆動方法の具体的な構成は、本発明の意図する範囲内において変更自在である。本発明に係る電磁弁駆動装置、および燃焼装置の各部の具体的な構成は、種々に設計変更自在である。
【００３６】
たとえば、本発明でいう弁開動作用期間の第２期間では、電磁弁のソレノイドに対し、第１期間よりもデューティ比が高い電圧印加を行なえばよい。したがって、第２期間における電圧印加のデューティ比を１００％に満たない値とすることができる。スイッチング手段を動作させるためのＰＷＭ信号は、必ずしもマイクロコンピュータを用いた制御部から出力される構成でなくてもよい。たとえば、ＰＷＭ信号を生成するための専用の回路を設けておき、この回路からスイッチング手段に向けてＰＷＭ信号が出力される構成とすることもできる。本発明に係る電磁弁の駆動方法は、電磁弁に弁開動作を行なわせる工程を対象としており、電磁弁が開弁状態になった後の駆動方法については問わない。したがって、電磁弁の開弁状態保持期間において、上述した実施形態の再弁開用期間Ｐ３’に相当する期間を設けない構成としてもかまわない。
【００３７】
本発明の適用対象となる電磁弁は、燃焼装置に設けられている電磁弁に限定されず、燃焼装置以外の種々の装置・機器類に設けられている電磁弁を適用対象とすることができる。たとえば、給湯用や床暖房用などの温水装置の湯水配管経路に設けられている電磁弁を適用対象とすることも可能である。また、本発明に係る燃焼装置は、給湯装置などの温水装置の構成要素として用いられるだけではなく、それ以外の種々の用途（たとえば、ガスファンヒータやガスコンロなど）に用いられる燃焼装置として構成することができる。また、ガス以外の物質（たとえば燃料オイルなど）を燃料とする燃焼装置として構成することもできる。
【符号の説明】
【００３８】
Ｃ      燃焼装置
ＳＤ    電磁弁駆動装置
Ｖ０〜Ｖ５  電磁弁
Ｓ０〜Ｓ５  ソレノイド（電磁弁の）
ＳＷ０〜ＳＷ５  スイッチング素子（スイッチング手段）
Ｐ１    第１期間
Ｐ２    第２期間
Ｐ３    開弁状態保持期間
１      ガスバーナ（バーナ）
５      制御部（信号出力手段）
【図１】
2011153686.tif 000003
【図２】
2011153686.tif 000004
【図３】
2011153686.tif 000005
【図４】
2011153686.tif 000006